(57)【特許請求の範囲】
【請求項１】
側壁の外壁に形成された幅広支脚と，該幅広支脚の両側付近の側壁を外側に膨出するようにして形成された，容器の深さのほぼ半分の深さを有する一対の幅狭ポケットとより構成された第１ポケット支脚部を，相対する側壁の一方の側壁の両端部付近に配設するとともに，容器の側壁が外側に膨出するようにして形成された，容器の深さのほぼ半分の深さを有する幅広ポケットと，該幅広ポケットの両側付近に形成された一対の幅狭支脚とより構成される第２ポケット支脚部を，相対する側壁のもう一方の側壁の両端部付近に配設したことを特徴とする同一方向でスタッキング及び反対方向でネステイング可能な運搬容器。
【請求項２】
幅広支脚及び一対の幅狭支脚を，側壁の高さとほぼ同じ高さに形成し，多数の容器をスタッキングした際に，幅広支脚及び一対の幅狭支脚が，上下方向に連続するように構成したことを特徴とする請求項１に記載の運搬容器。
【発明の詳細な説明】
【０００１】
【発明の属する技術分野】
本発明は、空の運搬容器（以下、運搬容器を、単に、「容器」ともいう。）を積み重ねる際には、上に位置する容器が、下に位置する容器に嵌め込まれ、また、内容物が収納された容器を積み重ねる際には、上に位置する容器が、下に位置する容器に嵌め込まれないように積み重ねることが可能な運搬容器に関するものである。
【０００２】
【従来の技術】
容器の側壁の両端部付近に、側壁の内壁に形成された容器の深さのほぼ半分の深さを有するポケットと，側壁の外壁に形成された支脚との組み合わせからなるポケット支脚部を、それぞれ、形成した容器が知られている。このような容器は、下に位置する容器と上に位置する容器とが、同じ向きに積み重ねられた際には、下に位置する容器の開口部に形成されたフランジ上に、上に位置する容器の支脚が載置されて、上に位置する容器が、下に位置する容器に嵌め込まれないように積み重ねられる、所謂、スタッキングされ、また、スタッキング状態から、上に位置する容器を、水平面上を１８０度回転させることにより、上に位置する容器の支脚が、下に位置する容器のポケットに挿入されて、上に位置する容器が、下に位置する容器に，ほぼ半分程度，嵌め込まれる、所謂、ネスティングされることになる。
【発明が解決しようとする課題】
【０００３】
上に位置する容器の一方を持ち上げるとともに、持ち上げられた側と反対側付近に位置する支脚を、下に位置する容器のフランジに沿ってスライドさせることにより、上に位置する容器を、下に位置する容器上に積み重ねる，所謂，スライドスタッキングが行われるが、この際に、上に位置する容器の支脚が，下に位置する容器のポケットに嵌まり込み，スライドスタッキングが，スムースに行えないという問題があった。
【０００４】
以下に，図１２〜図１４を用いて，上述した発明が解決しようとする課題について，具体的に説明する。
【０００５】
Ｃ’は，合成樹脂で一体に成形された容器であり，容器Ｃ’は，相対する長辺側壁１ａ’，１ｂ’と相対する短辺側壁２ａ’，２ｂ’と底部３’とを有しており，長辺側壁１ａ’，１ｂ’と短辺側壁２ａ’，２ｂ’の上端には，外方向に延設された水平なフランジ４’が，容器Ｃ’の開口部を囲むように形成されている。
【０００６】
ｐ１’は，一方の長辺側壁１ａ’の両端部付近の側壁が，外側に膨出するようにして形成された，容器Ｃ’の深さのほぼ半分の深さを有するポケットであり，容器Ｃ’の内側及び上部が開放されている。ｓ１’は，ポケットｐ１’より長辺側壁１ａ’の中央寄りで，且つ，ポケットｐ１’に隣接して，長辺側壁１ａ’の外壁に形成された支脚であり，支脚ｓ１’は，少なくとも，底部３’付近の長辺側壁１ａ’の外壁に形成されており，図１２には，長辺側壁１ａ’の高さとほぼ同じ高さを有するとともに，上半分が，ネスティングの際に，下に位置する容器Ｃ’のポケットに挿入される下半分より突出している支脚が示されている。そして，上記のポケットｐ１’と支脚ｓ１’により，第１ポケット支脚部Ａ’が構成されている。
【０００７】
ｓ２’は，もう一方の長辺側壁１ｂ’の外壁の両端部付近に形成された支脚であり，支脚ｓ２’は，上述した支脚ｓ１’と同様に，少なくとも，底部３’付近の長辺側壁１ｂ’の外壁に形成されており，図１２には，上述した支脚ｓ１’と同様に，長辺側壁１ｂ’の高さとほぼ同じ高さを有するとともに，上半分が，ネスティングの際に，下に位置する容器Ｃ’のポケットに挿入される下半分より突出している支脚が示されている。ｐ２’は，支脚ｓ２’より長辺側壁１ｂ’の中央寄りで，且つ，支脚ｓ２’に隣接するとともに，側壁が，外側に膨出するようにして形成された，容器Ｃ’の深さのほぼ半分の深さを有するポケットであり，容器Ｃ’の内側及び上部が開放されている。上記の支脚ｓ２’とポケットｐ２’により，第２ポケット支脚部Ｂ’が構成されている。
【０００８】
一方の長辺側壁１ａ’の両端部付近に形成された第１ポケット支脚部Ａ’と，もう一方の長辺側壁１ｂ’の外壁の両端部付近に形成された第２ポケット支脚部Ｂ’は，長辺側壁１ａ’，１ｂ’に平行な容器Ｃ’の中心線に対して線対称に配置されている。第１ポケット支脚部Ａ’のポケットｐ１’は，第２ポケット支脚部Ｂ’のポケットｐ２’より，幅が広く，また，第２ポケット支脚部Ｂ’の支脚ｓ２’は，第１ポケット支脚部Ａ’の支脚ｓ１’より，幅が広く形成されており，ネスティングの際に，第１ポケット支脚部Ａ’のポケットｐ１’に，第２ポケット支脚部Ｂ’の支脚ｓ２’が挿入され，また，第２ポケット支脚部Ｂ’のポケットｐ２’に，第１ポケット支脚部Ａ’の支脚ｓ１’が挿入されるように構成されている。そして，第２ポケット支脚部Ｂ’の支脚ｓ２’の幅は，第２ポケット支脚部Ｂ’のポケットｐ２’の幅より広く形成されている。
【０００９】
下に位置する容器Ｃ’と上に位置する容器Ｃ’とが、同じ向き，例えば，第１ポケット支脚部Ａ’が配設された長辺側壁１ａ’が，共に，同じ側に位置するように積み重ねられた際には、下に位置する容器Ｃ’のフランジ４’上に、上に位置する容器Ｃ’の支脚ｓ１’，ｓ２’が載置されて、上に位置する容器Ｃ’が、下に位置する容器Ｃ’に嵌め込まれないように積み重ねられる、所謂、スタッキングされ、また、スタッキング状態から、上に位置する容器Ｃ’を、水平面上を１８０度回転させることにより、上に位置する容器Ｃ’の第１ポケット支脚部Ａ’の支脚ｓ１’が，下に位置する容器Ｃ’の第２ポケット支脚部Ｂ’のポケットｐ２’に挿入され，また，上に位置する容器Ｃ’の第２ポケット支脚部Ｂ’の支脚ｓ２’が，下に位置する容器Ｃ’の第１ポケット支脚部Ａ’のポケットｐ１’に挿入されて，上に位置する容器Ｃ’が、下に位置する容器Ｃ’に，半分程度，嵌め込まれる、所謂、ネスティングされるように構成されている。
【００１０】
スライドスタッキングする際には，下に位置する容器Ｃ’と上に位置する容器Ｃ’とが、同じ向き，例えば，第１ポケット支脚部Ａ’が配設された長辺側壁１ａ’が，共に，同じ側に位置するように配置するとともに，上に位置する容器Ｃ’の一方の第１ポケット支脚部Ａ’の支脚ｓ１’と第２ポケット支脚部Ｂ’の支脚ｓ２’とを，下に位置する容器Ｃ’の一方の短辺側壁２ｂ’側に位置するフランジ４’上に載置し，次いで，上記支脚ｓ１’，ｓ２’を，長辺側壁１ａ’，１ｂ’側のフランジ４’上を，下に位置する容器Ｃ’の一方の短辺側壁２ａ’方向にスライドさせることにより，下に位置する容器Ｃ’上に，上に位置する容器Ｃ’を積み重ねるが，図１４に示されているように，上に位置する容器Ｃ’の第１ポケット支脚部Ａ’の支脚ｓ１’は，その幅が狭く，且つ，下に位置する容器Ｃ’の第１ポケット支脚部Ａ’のポケットｐ１’の幅は広く形成されているので，スライドスタッキングの際に，上に位置する容器Ｃ’の第１ポケット支脚部Ａ’の支脚ｓ１’が，下に位置する容器Ｃ’の第１ポケット支脚部Ａ’のポケットｐ１’に深く落ち込んで，スライドスタッキングが行えないという問題があった。なお，上に位置する容器Ｃ’の第２ポケット支脚部Ｂ’の支脚ｓ２’は，その幅が広く，また，下に位置する容器Ｃ’の第２ポケット支脚部Ｂ’のポケットｐ１’の幅は狭く形成されているので，上に位置する容器Ｃ’の第２ポケット支脚部Ｂ’の支脚ｓ２’が，下に位置する容器Ｃ’の第２ポケット支脚部Ｂ’のポケットｐ１’に落ち込むようなことがないように構成されている。
【００１１】
本発明の目的は，上述した従来の運搬容器が有する課題を解決すると共に，多数の容器を縦方向にスタッキングした際に，即ち，段積みした際に，安定した状態で段積みすることが可能な運搬容器を提供することにある。
【００１２】
【課題を解決するための手段】
本発明は、上述した目的を達成するために、第１には、側壁の外壁に形成された幅広支脚と，該幅広支脚の両側付近の側壁を外側に膨出するようにして形成された，容器の深さのほぼ半分の深さを有する一対の幅狭ポケットとより構成された第１ポケット支脚部を，相対する側壁の一方の側壁の両端部付近に配設するとともに，容器の側壁が外側に膨出するようにして形成された，容器の深さのほぼ半分の深さを有する幅広ポケットと，該幅広ポケットの両側付近に形成された一対の幅狭支脚とより構成される第２ポケット支脚部を，相対する側壁のもう一方の側壁の両端部付近に配設したものであり，第２には，幅広支脚及び一対の幅狭支脚を，側壁の高さとほぼ同じ高さに形成し，多数の容器をスタッキングした際に，幅広支脚及び一対の幅狭支脚が，上下方向に連続するように構成したものである。
【００１３】
【実施例】
以下に、本発明の実施例について説明するが、本発明の趣旨を越えない限り何ら、本実施例に限定されるものではない。
【００１４】
図１において，Ｃは，合成樹脂で一体に成形された容器であり，容器Ｃは，相対する長辺側壁１ａ，１ｂと相対する短辺側壁２ａ，２ｂと底部３とを有しており，長辺側壁１ａ，１ｂと短辺側壁２ａ，２ｂの上端には，外方向に延設された水平なフランジ４が，容器Ｃの開口部を囲むように形成されている。
【００１５】
次に，図３及び図４を用いて，本実施例において，側壁に配設されるポケット支脚部について説明する。なお，後述するように，ポケット支脚部は，長辺側壁１ａ，１ｂに限らず，短辺側壁２ａ，２ｂにも配設することができるので，ポケット支脚部の構成を説明する際には，長辺側壁１ａ，１ｂ及び短辺側壁２ａ，２ｂを，単に，側壁と称し，符号１を付した。
【００１６】
図３において，ｓ１は，側壁１の外壁に形成された，後述するもう一方のポケット支脚部を構成する支脚より幅が広い幅広支脚であり，幅広支脚ｓ１は，少なくとも，底部３付近の側壁１の外壁に形成されており，図３には，側壁１の高さとほぼ同じ高さを有するとともに，上半分が，ネスティングの際に，下に位置する容器のポケットに挿入される下半分より突出している支脚が示されている。ｐ１は，幅広支脚ｓ１の両側付近の側壁１を，外側に膨出するようにして形成された，容器の深さのほぼ半分の深さを有するとともに，後述するもう一方のポケット支脚部を構成するポケットより幅が狭い幅狭ポケットであり，該幅狭ポケットｐ１は，容器の内側及び上部が開放されている。上記のように，幅広支脚ｓ１と該幅広支脚ｓ１の両側に形成された一対の幅狭ポケットｐ１により，第１ポケット支脚部Ａが構成されている。
【００１７】
図４において，ｐ２は，容器の側壁１が外側に膨出するようにして形成された，容器の深さのほぼ半分の深さを有するとともに，容器の内側及び上部が開放された，上述した第１ポケット支脚部Ａを構成する幅狭ポケットｐ１より幅が広い，幅広ポケットである。ｓ２は，幅広ポケットｐ２の両側で，幅広ポケットｐ２に接近するように，側壁１の外壁に形成された，上述した第１ポケット支脚部Ａを構成する幅広支脚ｓ１より幅が狭い一対の幅狭支脚であり，幅狭支脚ｓ２は，少なくとも，底部３付近の側壁１の外壁に形成されており，図４には，側壁１の高さとほぼ同じ高さを有するとともに，上半分が，ネスティングの際に，下に位置する容器のポケットに挿入される下半分より突出している支脚が示されている。上記のように，幅広ポケットｐ２と該幅広ポケットｐ２の両側に形成された，一対の幅狭支脚ｓ２により，第２ポケット支脚部Ｂが構成されている。
【００１８】
図５に示されているように，容器を上下に積み重ねた際に，下に位置する容器Ｃ１に配設された第１ポケット支脚部Ａと，上に位置する容器Ｃ２に配設された第１ポケット支脚部Ａとが上下方向に一致した場合には，下に位置する容器Ｃ１のフランジ４上に，上に位置する容器Ｃ２に配設された第１ポケット支脚部Ａの幅広支脚ｓ１が載置されるように構成されている。同様に，図６に示されているように，容器を上下に積み重ねた際に，下に位置する容器Ｃ１に配設された第２ポケット支脚部Ｂと，上に位置する容器Ｃ２に配設された第２ポケット支脚部Ｂとが上下方向に一致した場合には，下に位置する容器Ｃ１のフランジ４上に，上に位置する容器Ｃ２に配設された第２ポケット支脚部Ｂの一対の幅狭支脚ｓ２が載置されるように構成されている。
【００１９】
また，図７に示されているように，容器を上下に積み重ねた際に，下に位置する容器Ｃ１に配設された第１ポケット支脚部Ａと，上に位置する容器Ｃ２に配設された第２ポケット支脚部Ｂとが上下方向に一致した場合には，下に位置する容器Ｃ１に配設された第１ポケット支脚部Ａの一対の幅狭ポケットｐ１に，上に位置する容器Ｃ２に配設された第２ポケット支脚部Ｂの一対の幅狭支脚ｓ２が挿入されるように構成されている。同様に，図８に示されているように，容器を上下に積み重ねた際に，下に位置する容器Ｃ１に配設された第２ポケット支脚部Ｂと，上に位置する容器Ｃ２に配設された第１ポケット支脚部Ａとが上下方向に一致した場合には，下に位置する容器Ｃ１に配設された第２ポケット支脚部Ｂの幅広ポケットｐ２に，上に位置する容器Ｃ２に配設された第１ポケット支脚部Ａの幅広支脚ｓ１が挿入されるように構成されている。なお，第１ポケット支脚部Ａの幅広支脚ｓ１の幅は，該第１ポケット支脚部Ａの幅狭ポケットｐ１の幅より広く形成されている。
【００２０】
上述した構成を有する第１ポケット支脚部Ａと第２ポケット支脚部Ｂの配置の一例を，図１及び図２を用いて説明する。
【００２１】
この実施例においては，一方の長辺側壁１ａの両端部付近には，第２ポケット支脚部Ｂが配置され，そして，もう一方の長辺側壁１ｂの両端部付近には，第１ポケット支脚部Ａが配置されている。そして，長辺側壁１ａに配設された第２ポケット支脚部Ｂと長辺側壁１ｂに配設された第１ポケット支脚部Ａとは，長辺側壁１ａ，１ｂに平行な容器Ｃの中心線に対して線対称に配置されている。
【００２２】
下に位置する容器Ｃと上に位置する容器Ｃとが、同じ向き，例えば，第１ポケット支脚部Ａが配設された長辺側壁１ｂが，共に，同じ側に位置するように積み重ねられた際には、図５及び図６に示されているように，下に位置する容器Ｃ１のフランジ４上に、上に位置する容器Ｃ２に配設された第１ポケット支脚部Ａの幅広支脚ｓ１及び第２ポケット支脚部Ｂの一対の幅狭支脚ｓ２が載置されて、上に位置する容器Ｃ２が、下に位置する容器Ｃ１に嵌め込まれないように積み重ねられる、所謂、スタッキングされることになる。また、上記のスタッキング状態から、上に位置する容器Ｃ或いは下に位置する容器Ｃを、水平面上を１８０度回転させることにより、図７に示されているように，上に位置する容器Ｃ２に配設された第２ポケット支脚部Ｂの一対の幅狭支脚ｓ２が，下に位置する容器Ｃ１に配設された第１ポケット支脚部Ａの一対の幅狭ポケットｐ１に挿入され，また，図８に示されているように，上に位置する容器Ｃ２に配設された第１ポケット支脚部Ａの幅広支脚ｓ１が，下に位置する容器Ｃ１に配設された第２ポケット支脚部Ｂの幅広ポケットｐ２に挿入されて，上に位置する容器Ｃが、下に位置する容器Ｃに，半分程度，嵌め込まれる、所謂、ネスティングされることになる。
【００２３】
次に，図９及び図１０を用いて，下に位置する容器のフランジ４上に，上に位置する容器の幅広支脚ｓ１及び幅狭支脚ｓ２を載置するとともに，上に位置する容器の幅広支脚ｓ１及び幅狭支脚ｓ２を，下に位置する容器のフランジ４上をスライドさせながら，上に位置する容器を移動させるようにして容器をスタッキングさせる，所謂，スライドスタッキング作業について説明する。
【００２４】
先ず最初に，図９に示されているように，上に位置する容器Ｃ２の長辺側壁１ａ，１ｂの端部付近に配設された第１ポケット支脚部Ａの幅広支脚ｓ１及び第２ポケット支脚部Ｂの一対の幅狭支脚ｓ２のうちスライド方向前方に位置する幅狭支脚ｓ２（図９において，上に位置する容器Ｃ２の左端に位置する幅狭支脚ｓ２で，以下，単に，「スライド方向前方の幅狭支脚」という。また，該スライド方向前方の幅狭支脚の直ぐ後方に位置する幅狭支脚ｓ２を，単に，「スライド方向後方の幅狭支脚」という。）のスライド方向前方の角部を，図９において，下に位置する容器Ｃ１に配設された一対の第２ポケット支脚部Ｂのうち，右側に位置する第２ポケット支脚部Ｂの幅広ポケットｐ２より，右側に位置するフランジ４上に載置する。
【００２５】
次いで，上に位置する容器Ｃ２の下に位置する容器Ｃ１のフランジ４に載置されたスライド方向前方の幅狭支脚ｓ２に対して反対側に位置する短辺側壁２ｂを上方に持ち上げた状態で，上に位置する容器Ｃ２を，下に位置する容器Ｃ１の一方の短辺側壁２ａ方向に移動させると，上に位置する容器Ｃ２の第２ポケット支脚部Ｂの一対の幅狭支脚ｓ２のうち，スライド方向前方の幅狭支脚ｓ２の下端部は，下に位置する容器Ｃ１に配設された右側に位置する第２ポケット支脚部Ｂの幅広ポケットｐ２に嵌まり込むが，上に位置する容器Ｃ２のスライド方向前方の幅狭支脚ｓ２が，下に位置する容器Ｃ１に配設された右側に位置する第２ポケット支脚部Ｂの幅広ポケットｐ２のスライド方向側，即ち，左側の側壁ｗ１に当接する前に，上に位置する容器Ｃ２のスライド方向後方の幅狭支脚ｓ２が，下に位置する容器Ｃ２のフランジ４に載置されるので，上に位置する容器Ｃ２のスライド方向前方の幅狭支脚ｓ２が，下に位置する容器Ｃ２に配設された右側に位置する第２ポケット支脚部Ｂの幅広ポケットｐ２に深く嵌まり込むことがないので，上に位置する容器Ｃ２を，下に位置する容器Ｃ１の短辺側壁２ａ方向に，大きな抵抗を生じさせることなく移動させることができ，スムースなスライドスタッキングを行うことができる。
【００２６】
上に位置する容器Ｃ２の長辺側壁１ｂの端部付近に配設された第１ポケット支脚部Ａの幅広支脚ｓ１は，スライドスタッキングの際には，下に位置する容器Ｃ１の該幅広支脚ｓ１の幅より狭い幅を有する第１ポケット支脚部Ａの幅狭ポケットｐ１を通過するので，該幅狭ポケットｐ１に嵌まり込むようなことがないので，スムースなスライドスタッキングの障害になるようなことがない。
【００２７】
同様に，上に位置する容器Ｃ２のスライド方向前方の幅狭支脚ｓ２が，下に位置する容器Ｃ１に配設された左側に位置する第２ポケット支脚部Ｂの幅広ポケットｐ２のスライド方向側，即ち，左側の側壁ｗ１に当接する前に，上に位置する容器Ｃ２のスライド方向後方の幅狭支脚ｓ２が，下に位置する容器Ｃ２のフランジ４に載置されるので，上に位置する容器Ｃ２のスライド方向前方の幅狭支脚ｓ２が，下に位置する容器Ｃ２に配設された左側に位置する第２ポケット支脚部Ｂの幅広ポケットｐ２に深く嵌まり込むことがないので，上に位置する容器Ｃ２を，下に位置する容器Ｃ２の短辺側壁２ａ方向に，大きな抵抗を生じさせることなく移動させることができ，スムースなスライドスタッキングを行うことができる。
【００２８】
上述したように，幅広支脚ｓ１と該幅広支脚ｓ１の両側に形成された一対の幅狭ポケットｐ１により第１ポケット支脚部Ａを構成するとともに，幅広ポケットｐ２と該幅広ポケットｐ２の両側に形成された，一対の幅狭支脚ｓ２により，第２ポケット支脚部Ｂを構成したので，スムースなスライドスタッキングを行うことができる。
【００２９】
また，幅広ポケットｐ２の両側に，一対の幅狭支脚ｓ２を形成するとともに，幅広支脚ｓ１及び一対の幅狭支脚ｓ２を，側壁の高さとほぼ同じ高さに形成し，多数の容器Ｃをスタッキングした際に，図５及び図６に示されているように，
幅広支脚ｓ１及び一対の幅狭支脚ｓ２が，上下方向に連続するように構成したので，容器を多段に積み重ねた際に，幅広支脚ｓ１或いは特に，幅の狭い幅狭支脚ｓ２が変形したり，座屈を起こすようなことがなく，従って，安定した状態で，多数の容器を多段に積み重ねることができる。
【００３０】
なお，図１１に示されている実施例は，上述した長辺側壁１ａ，１ｂに第１ポケット支脚部Ａと第２ポケット支脚部Ｂを配設したと同様に，短辺側壁２ａ，２ｂにも第１ポケット支脚部Ａと第２ポケット支脚部Ｂを配設したものである。この場合にも，一方の短辺側壁２ａの両端部付近に第１ポケット支脚部Ａを配設するとともに，もう一方の短辺側壁２ｂの両端部付近に第２ポケット支脚部Ｂを配設する。第１ポケット支脚部Ａと第２ポケット支脚部Ｂとは，短辺側壁２ａ，２ｂに平行な容器Ｃの中心線に対して線対称に配置される。
【００３１】
【発明の効果】
本発明は、以上説明したような構成を有するので、以下に記載する効果を奏するものである。
【００３２】
第２ポケット支脚部を構成する幅狭支脚を，幅広ポケットを挟んで一対形成したので，スライドスタッキングの際に，上に位置する容器の幅狭支脚が，下に位置する容器の幅広ポケットに深く嵌まり込むことがなく，従って，上に位置する容器を，下に位置する容器に対して，スムースにスライドスタッキングすることができる。
【００３３】
多数の容器をスタッキングした際に，幅広支脚及び一対の幅狭支脚が，上下方向に連続するように構成したので，幅広支脚或いは幅狭支脚が変形したり，座屈を起こすようなことがなく，従って，安定した状態で，多数の容器を多段に積み重ねることができる。
【図面の簡単な説明】
【図１】図１は本発明の運搬容器の斜視図である。
【図２】図２は図１に示されている運搬容器の平面図である。
【図３】図３は本発明の運搬容器の第１ポケット支脚部付近の斜視図である。
【図４】図４は本発明の運搬容器の第２ポケット支脚部付近の斜視図である。
【図５】図５は本発明の運搬容器がスタッキング状態に配置された場合の第１ポケット支脚部付近の正面図である。
【図６】図６は本発明の運搬容器がスタッキング状態に配置された場合の第２ポケット支脚部付近の正面図である。
【図７】図７は本発明の運搬容器がネスティング状態に配置された場合の第１ポケット支脚部及び第２ポケット支脚部付近の正面図である。
【図８】図８は本発明の運搬容器がネスティング状態に配置された場合の第１ポケット支脚部及び第２ポケット支脚部付近の正面図である。
【図９】図９は本発明の運搬容器をスライドスタッキングする際の正面図である。
【図１０】図１０は同じく本発明の運搬容器をスライドスタッキングする際の正面図である。
【図１１】図１１は本発明の運搬容器の他の実施例の平面図である。
【図１２】図１２は従来の運搬容器の斜視図である。
【図１３】図１３は図１２に示されている従来の運搬容器の平面図である。
【図１４】図１４は従来の運搬容器をスライドスタッキングする際の正面図である。
【符号の説明】
Ｃ・・・・・・・・運搬容器
Ａ・・・・・・・・第１ポケット支脚部
Ｂ・・・・・・・・第２ポケット支脚部
１ａ，１ｂ・・・・長辺側壁
２ａ、２ｂ・・・・短辺側壁
３・・・・・・・・底部
４・・・・・・・・フランジ
ｐ１，ｐ２・・・・ポケット
ｓ１，ｓ２・・・・支脚
【図１】
0003792872.tif 000002
【図２】
0003792872.tif 000003
【図３】
0003792872.tif 000004
【図４】
0003792872.tif 000005
【図５】
0003792872.tif 000006
【図６】
0003792872.tif 000007
【図７】
0003792872.tif 000008
【図８】
0003792872.tif 000009
【図９】
0003792872.tif 000010
【図１０】
0003792872.tif 000011
【図１１】
0003792872.tif 000012
【図１２】
0003792872.tif 000013
【図１３】
0003792872.tif 000014
【図１４】
0003792872.tif 000015